(57)【要約】【課題】  キャップを締着した塗布具保管時に、容器内部の気密性を高め、揮発性成分を多く含んだ内容物に適用できる化粧料塗布具を提供すること。【解決手段】  容器本体としごき中栓、塗布部材を取着したキャップからなる化粧料塗布具であって、しごき中栓は、上端に鍔を設けた栓体と、軟材質を素材としたしごき体とからなり、しごき体は、栓体の内側に突出するしごき部と、容器本体の口部内周に接する環状リブと、抜け防止部とを具えており、塗布部材は、嵌合部と軸部とブラシ部からなり、軸部は、軸杆と軟材質の素材とした掻き落し体を具え、掻き落し体は、底板としごき中栓の鍔との間のパッキン部と掻き落し部、しごき中栓のしごき部を受け入れる環状凹部とが設けられていることを特徴とする。【選択図】  図１
2008054882.tif 000002
【特許請求の範囲】
【請求項１】
容器本体としごき中栓、塗布部材を取着したキャップからなる化粧料塗布具であって、
しごき中栓は、上端に鍔を設けた栓体と、軟材質を素材としたしごき体とからなり、
しごき体は、栓体の内側に突出するしごき部と、容器本体の口部内周に接する環状リブと、抜け防止部とを具えており、
塗布部材は、嵌合部と軸部とブラシ部からなり、
軸部は、軸杆と軟材質の素材とした掻き落し体を具え、
掻き落し体は、底板としごき中栓の鍔との間のパッキン部と掻き落し部、しごき中栓のしごき部を受け入れる環状凹部とが設けられていることを特徴とする化粧料塗布具。
【請求項２】
しごき体と掻き落し体の軟材質の素材を、エラストマー製にすることを特徴とする請求項１記載の化粧料塗布具。
【発明の詳細な説明】
【技術分野】
【０００１】
本発明は、塗布具、とくにしごき中栓と、塗布部材の軸のしごき部分を、エラストマー等の軟材質の素材をもって構成した化粧料塗布具に関するものである。
【背景技術】
【０００２】
マスカラ等の化粧料塗布具の軸と中栓の一部にエラストマーを用いることは、従来より知られている（例えば、特許文献１参照）。
また、マスカラ等の化粧料塗布具のしごき中栓を二つの部分から構成することは、従来より知られている（例えば、特許文献２参照）。
【特許文献１】特開２００５−１８５３６０号公報
【特許文献２】特開２００１−２７８３６５号公報
【発明の開示】
【発明が解決しようとする課題】
【０００３】
しかしながら、上記各文献記載の従来の塗布具は、軸と中栓にエラストマーを用いたり、しごき中栓を二つの部分として保管時の気密性を高めるようにしているが、とくに内容物が揮発性の高いものにおいては、保管時の密封が充分でなかったという問題があった。
【０００４】
本発明は、上記の問題を解決することを課題として、キャップを締着した塗布具保管時に、容器内部の気密性を高め、揮発性成分を多く含んだ内容物に適用できる化粧料塗布具を提供することを目的とする。
【課題を解決するための手段】
【０００５】
本発明は、上記の課題を解決するため、化粧料塗布具として、容器本体としごき中栓、塗布部材を取着したキャップからなる化粧料塗布具であって、しごき中栓は、上端に鍔を設けた栓体と、軟材質を素材としたしごき体とからなり、しごき体は、栓体の内側に突出するしごき部と、容器本体の口部内周に接する環状リブと、抜け防止部とを具えており、塗布部材は、嵌合部と軸部とブラシ部からなり、軸部は、軸杆と軟材質の素材とした掻き落し体を具え、掻き落し体は、底板としごき中栓の鍔との間のパッキン部と掻き落し部、しごき中栓のしごき部を受け入れる環状凹部とが設けられていることを特徴とする構成を採用する。
【０００６】
しごき体と掻き落し体の実施例として、しごき体と掻き落し体の軟材質の素材を、エラストマー製にすることを特徴とする構成を採用する。
【発明の効果】
【０００７】
本発明の化粧料塗布具は、栓体とエラストマー等の軟材質の素材を用いたしごき体を一体化したしごき中栓と、塗布部材の軸部に、パッキン部と、栓体の内面側に接する掻き落し部と、環状凹部を設けたエラストマー等の軟材質の素材の掻き落し体を具備したことにより、しごき部と掻き落し部のそれぞれの作用がスムースに行えるようになり、また、容器の気密性を高め、揮発性成分の高い内容物にも大きな密封性を得られるようになった。
【発明を実施するための最良の形態】
【０００８】
次に、本発明の化粧料塗布具に適用した実施形態について、図面を参照して説明する。
図１、２において、Ａは容器本体、Ｂはしごき中栓、Ｃはキャップ、ＤはキャップＣに取着された塗布部材である。
【０００９】
容器本体Ａは、縮径された口部１と肩部２、胴部３と底部４から構成され、口部１の外周には、ねじ５が螺設されている。
【００１０】
しごき中栓Ｂは、上端に鍔６を有する栓体７と、軟材質の素材を用いたしごき体８とから一体成形されており、しごき体８は、栓体７の中間部内側に斜め下方に突設したしごき部９を設けるとともに、栓体７の外側に口部１内周に接する複数の環状リブ１０を設け、下端には、抜け防止突条１１が設けられている。
栓体７は、しごき体８を口部１内周に当接させ、その状態を維持し変形しないように、ほぼ口部１内周の全体にわたって押圧するだけの寸法を有しており、一体成形にあたって、栓体の内側に環状のしごき部９が形成されるように複数の連通孔が形成されるようになっている。
【００１１】
キャップＣは、頂壁１５と側周壁１６とからなり、側周壁１６の上方部は、塗布部材Ｄの保持部となっている。
側周壁１６の下方部には、口部１のねじ５に螺合するねじ１７が螺設され、その上方は、内方に突出する膨出環１８が設けられている。
【００１２】
塗布部材Ｄは、キャップＣに装着される嵌合部２０と軸部２１とブラシ部２２とから形成されている。
【００１３】
嵌合部２０は、キャップＣの側周壁１６に嵌合される筒体２３と底板２４とからなり、底板２４の中央部から軸部２１の軸杆２５が垂設されている。
【００１４】
軸部２１は、合成樹脂製の軸杆２５と軟材質の素材からなる掻き落し体２６とからなっており、嵌合部２０と軸杆２５と掻き落し体２６とからなる軸部２１は、一体成形されている。
軸杆２５の上端は拡径杆２７、中間部は小径杆２８、下端部は拡径杆２９となっており、嵌合部２０の底板２４上方の拡径杆２７、小径杆２８には、掻き落し体２６が接着されている。
【００１５】
掻き落し体２６は、底板２４に接するパッキン部３０と、掻き落し部３１と、しごき中栓Ｂのしごき部９を受け入れる環状凹部３２、およびしごき部９と係合する拡径された係合部３３とからなっている。
ブラシ部２２は、軸杆２５の拡径部２９に連設されている。
【００１６】
次に、本発明塗布具の使用態様と作用効果について説明する。
キャップＣをゆるめて上方に引き上げると、しごき中栓Ｂの斜め下方に突出したしごき部９に軸部２１の掻き落し体２６とブラシ部２２が接触し、掻き落し体２６に付着した不用の内容物がぬぐえるとともに、ブラシ部２２に適量付着させることができる。
【００１７】
化粧が終了し、キャップＣを閉めると、しごき中栓Ｂの栓体７の内側に付着している内容物を、掻き落し部３１により容器本体Ａ内に戻すことが可能となっている。
【００１８】
しごき体８と掻き落し体２６を軟材質の素材により構成したので、不用な内容物をスムースに除去できるようになった。
【００１９】
また、軟材質の素材をエラストマーにすることにより、なお一層スムースに除去できるようになった。
【００２０】
しごき体８は、栓体７の外側に口部１に接する環状リブ１０を設けるとともに、抜け防止突条１１を設けたので、しごき体８が、口部１に密着可能であること、やや硬質な軸部２１上方に軟材質の素材の掻き落し体２６を設けたこと、掻き落し体２６のパッキン部３０と掻き落し部３１が栓体７内面に密接することにより、揮発性の内容物にも密封可能となった。
【００２１】
しごき中栓Ｂのしごき部９が受け入れられる環状凹部３２を設けたことにより、しごき部９がへたることなく長期間使用可能となった。
【００２２】
軸杆２５の中間に小径杆２８を設け、軟材質の掻き落し体２６を接合しているので、軸部２１は曲がりやすくなり、軸部２１を長くして、キャップＣを閉じたときに、ブラシ部２２の下端を、図３に示すように、容器本体Ａの底部４の外側底面に接するようにすることができる。
ブラシ部２２の下端の側縁が底部４に当接することにより、内容液を最後まで使用することができるようになっている。
【産業上の利用可能性】
【００２３】
本発明は、栓体とエラストマー等の軟材質の素材を用いたしごき体を一体化したしごき中栓と、嵌合部下方と軸部上方には、パッキン部と栓体の内面側に接している掻き落し部としごき部が受け入れられる環状凹部を設けたエラストマー等の軟材質の素材の掻き落し体を具備したことにより、気密性が増し、内容物が揮発性の高いものにも充分機能するので、マスカラ、その他の化粧料塗布具として広く利用できるようになった。
【図面の簡単な説明】
【００２４】
【図１】本発明化粧料塗布具の一部断面立面図である。
【図２】本発明化粧料塗布具の拡大一部断面立面図である。
【図３】ブラシ部が容器底部の外側底面に接触しているときの一部断面立面図である。
【符号の説明】
【００２５】
Ａ    容器本体
Ｂ    しごき中栓
Ｃ    キャップ
Ｄ    塗布部材
１    口部
２    肩部
３    胴部
４    底部
５、１７  ねじ
６    鍔
７    栓体
８    しごき体
９    しごき部
１０  環状リブ
１１  抜け防止突条
１５  頂壁
１６  側周壁
１８  膨出環
２０  嵌合部
２１  軸部
２２  ブラシ部
２３  筒体
２４  底板
２５  軸杆
２６  掻き落し体
２７、２９  拡径杆
２８  小径杆
３０  パッキン部
３１  掻き落し部
３２  環状凹部
３３  係合部
【図１】
2008054882.tif 000003
【図２】
2008054882.tif 000004
【図３】
2008054882.tif 000005